(57)【特許請求の範囲】
【請求項１】
吸込口が底壁に形成された下ケース、及び、前記下ケースに上方から組み付けられた上ケースを有する本体ケースと、前記下ケース及び前記上ケースの上部を覆うカバーとを備え、
前記カバーの縁部にカバー側係止部が設けられていると共に、スライドして被係止部を前記カバー側係止部に対して係合・離脱させるスライド係止部材が前記本体ケースに設けられ、
前記被係止部を前記カバー側係止部に対して係合させることにより、前記カバーを前記本体ケースに保持させる吸込口体であって、
前記下ケースには、後方及び上方に開く凹部を有する支持部を設け、前記凹部の下部には支持面が形成され、前側には支持壁が形成され、
前記スライド係止部材は、前記凹部に上方から挿入されると共に、前記下ケースに組み付けられた前記上ケースによって上方への抜け外れが規制された状態で、
前記支持面上に支持され、且つ、前記支持壁に沿ってスライド可能であることを特徴とする吸込口体。
【請求項２】
請求項１に記載の吸込口体を備えることを特徴とする電気掃除機。
【発明の詳細な説明】
【０００１】
【発明の属する技術分野】
本発明は、下ケース及び上ケースからなる本体ケースと、本体ケースの上部を覆うカバーを備える吸込口体及びこれを用いた電気掃除機に関するものである。
【０００２】
【従来の技術】
この種の従来の吸込口体としては、図２３（ａ）に示したような吸込口本体１００を有するものが考えられている。この吸込口本体１００は、図２３（ａ），図２４に示したように、本体ケース１０１と、本体ケース１０１上を覆うカバー１０２を有する。
【０００３】
この本体ケース１０１は下ケース１０３と上ケース１０４を有し、このケース１０３，１０４は図示しないビスで固定されている。また、カバー１０２の前縁部に設けた係止爪１０５が下ケース１０３の係止部１０６に係止させられると共に、カバー１０２の後壁１０２ａの内面に係止突部１０７が設けられている。また、上ケース１０４の後壁１０４ａには、被係止突部１０８ａを有するスライド係止部材１０８が左右にスライド可能に保持されている。そして、このスライド係止部材１０８を左右にスライド操作して、被係止突部１０８ａを係止突部１０７に対して係合・係合解除させることにより、カバー１０２の後縁部が本体ケース１０１に保持・保持の解除がされる様になっている。
【０００４】
このスライド係止部材１０８は、図２４，図２５に示したように、上ケース１０４の後壁１０４ａに設けた凹部１０９に配設されている。また、この凹部１０９の底壁１０９ａ，前壁１０９ｂにはスリット１１０，１１１が設けられていると共に、凹部１０９の側壁１０９ｃには挿通孔１１２が形成されている。一方、スライド係止部材１０８の底面及び前面には図２７に示したように係合片１１３，１１４がそれぞれ設けられ、スライド係止部材１０８の側面には長板部１１５が設けられている。しかも、係合片１１３，１１４はスリット１１０，１１１に左右動可能にそれぞれ挿入され、長板部１１５は挿通孔１１２から上ケース１０４内に図２６の如く挿通されて、長板部１１５の先端部の突部１１５ａが後壁１０４ａの内面の係合凹部１１６，１１７のいずれかに係合させられる様になっている。尚、図２７の（ａ），（ｂ）は、説明の便宜上、一つのスライド係止部材１０８の向きを異ならせて図示したものである。
【０００５】
【発明が解決しようとする課題】
ところで、スライド係止部材１０８を上ケース１０４に組み付けるには、スライド係止部材１０８の係合片１１３，１１４及び長板部１１５を凹部１０９に設けたスリット１１０，１１１及び挿通孔１１２に挿入する必要がある。
【０００６】
しかし、スリット１１０，１１１及び挿通孔１１２は互いに三次元的に直交する底壁１０９ａ，前壁１０９ｂ及び側壁１０９ｃに設けられているため、スライド係止部材１０８を凹部１０９に上方から挿入したり後方から挿入したりするのみでは、スライド係止部材１０８の係合片１１３，１１４及び長板部１１５を凹部１０９に設けたスリット１１０，１１１及び挿通孔１１２に挿入することができず、スライド係止部材１０８の上ケース１０４への組付が容易ではなかった。
【０００７】
そこで、この発明は、スライド係止部材の組付けを簡易に行うことができる吸込口体及びこれを用いた電気掃除機を提供することを目的とするものである。
【０００８】
【課題を解決するための手段】
この目的を達成するため、請求項１の発明は、吸込口が底壁に形成された下ケース、及び、前記下ケースに上方から組み付けられた上ケースを有する本体ケースと、前記下ケース及び前記上ケースの上部を覆うカバーとを備え、前記カバーの縁部にカバー側係止部が設けられていると共に、スライドして被係止部を前記カバー側係止部に対して係合・離脱させるスライド係止部材が前記本体ケースに設けられ、前記被係止部を前記カバー側係止部に対して係合させることにより、前記カバーを前記本体ケースに保持させる吸込口体であって、前記下ケースには、後方及び上方に開く凹部を有する支持部を設け、前記凹部の下部には支持面が形成され、前側には支持壁が形成され、前記スライド係止部材は、前記凹部に上方から挿入されると共に、前記下ケースに組み付けられた前記上ケースによって上方への抜け外れが規制された状態で、前記支持面上に支持され、且つ、前記支持壁に沿ってスライド可能である吸込口体としたことを特徴とする。
【０００９】
また、請求項２の発明は、請求項１に記載の吸込口体を備える電気掃除機としたことを特徴とする。
【００１０】
【発明の実施の形態】
以下、この発明の実施の形態を図１〜図２２に基づいて説明する。
【００１１】
図３において、１は電気掃除機の掃除機本体、２は掃除機本体１の集塵室に配設された紙パックフィルター等の集塵袋、３は集塵室に吸気負圧を作用させる電動送風機である。また、４は掃除機本体１に接続され且つ集塵袋２に連通する集塵ホース、５は集塵ホース４の自由端に設けられた手元操作パイプ、６，７は手元操作パイプ５に直列に接続された延長管（延長パイプ）、８は延長管７の先端部に接続された吸込口体である。
【００１２】
吸込口体８は、図１，図２に示したような吸込口本体９を有する。この吸込口本体９は、本体ケース１０と、本体ケース１０の上部を覆うカバー１１（図４（ａ）参照）を有する。この本体ケース１０は、底壁１２ａに吸込口１２ｂが形成された下ケース１２と、上ケース１３を有する。この吸込口１２ｂは、図５〜図８に示したように底壁１２ａの前部側に形成されていると共に、図５に示したように底壁１２ａの左右両端部まで延設されている。また、本体ケース１０とカバー１１との間には、図６〜図８に示した様に、吸込口１２ｂに臨む吸込室１４が形成されている。
【００１３】
この吸込室１４には、吸込口１２ｂに沿って左右に延びる回転清掃体１５が配設されている。この回転清掃体１５は、回転軸１６と、回転軸１６の周面から突出する複数の可撓性のブレード１７を有する。このブレード１７は、回転軸１６の両端部近傍まで延設されている。また、回転軸１６の両端部には軸受１８，１８が回転自在に保持され、軸受１８，１８は下ケース１２の両端部と上ケース１３の両端部との間に保持されている。１２ｃは下ケース１２の後壁（後側壁）、１２ｄは下ケース１２の前壁（前側壁）である。この下ケース１２の前壁１２ｄの左右の部分には係止凹部１２ｅが形成されている。
【００１４】
上ケース１２の中央には、図６に示したように、吸込室１４に連通する連通路１９ａが形成された筒部１９が設けられていると共に、連通路１９ａに連通する回転管２０が前後に延びる軸線Ｏ１を中心に筒部１９に回転自在に保持され、回転管２０には左右に延びる軸線Ｏ２を中心に接続管（接続パイプ）２１が上下に回動可能に保持されている。尚、回転管２０は、筒部１９に回転自在に保持された半割部材２０ａと、半割部材２０ａにビスで固定された半割部材２０ｂを有する。
【００１５】
本体ケース１０の後部とカバー１１との間には回転管２０の左右に位置させてエア導入室２２，（他方図示せず）が形成され、カバー１１の後壁１１ａにはエア導入室２２と大気を連通させる多数のスリット状のエア導入口２３が形成されている。このカバー１１の前端（前縁）の左右の部分には図４（ａ）に示したように係止爪１１ｂが形成されている。この係止爪１１ｂは、下ケース１２の係止凹部１２ｅに係合させられている。
【００１６】
また、下ケース１２の底壁１２ａの後部には、図５に示したように、左右に直列に配列された３つのスリット２４，２５，２４が形成されている。左右のスリット２４，２４は回転管２０の左右に位置させて回転管２０の近傍と左右の両端部近傍まで延びている。そして、左右のスリット２４，２４が左右のエア導入室２２，（他方図示せず）にそれぞれ連通している。
【００１７】
更に、下ケース１２と上ケース１３の後部間には左右に延びる回転軸２６が回転自在に保持され、回転軸２６にはスリット２４，２５，２４に下部をそれぞれ配設した大径軸部２６ａ，２６ｂ，２６ａが形成され、大径軸部２６ａ，２６ｂ，２６ａの周面の下部には床磨部材２７，２８，２７が添着されている。各大径軸部２６ａには、吸込室１４に突出するノズル２９と、エア導入室２２とノズル２９に連通する連通路３０が形成されている。
【００１８】
そして、吸込口体の前進時には、床磨き部材２７，２８，２７の作用により回転軸２６が図７の如く回転させられて、ノズル２９が水平方向で且つ回転清掃体１５の下方を向くブレード１７に向けられる様になっている。これにより、図７中、ノズル２９からのエアにより回転清掃体１５は反時計回り方向に回転させられる様になっている。また、吸込口体の後退時には、床磨き部材２７，２８，２７の作用により回転軸２６が図８の如く回転させられて、ノズル２９が斜め上方向で且つ回転清掃体１５の斜め上方を向くブレード１７に向けられる様になっている。これにより、図８中、ノズル２９からのエアにより回転清掃体１５は時計回り方向に回転させられる様になっている。
【００１９】
下ケース１２の後壁１２ｃの左右の部分には、図１５に示した様に、支持部Ａが設けられている。この支持部Ａは、下ケース１２の後壁１２ｃに設けられ、且つ前側に窪むと共に後方及び上方に開く凹部３０を有する。この凹部３０の下部には支持面３０ａが形成され、凹部３０の前側には支持壁３１が形成されている。支持壁３１は、前支持壁３１ａと後支持壁３１ｂ及びこれらの連設壁３１ｃから平面形状がクランク状に形成され、前支持壁３１ａの端部と後壁１２ｃとの間には切欠スリット３２が形成されている。この前支持壁３１ａは回転管２０側に位置している。
【００２０】
後壁１２ｃには、スリット３２に対応して前側に突出する係合突部３３が形成されていると共に、左右方向中央側に間隔をおいて前側に突出する係合突部３４が形成されている（図１５〜図１８参照）。また、後支持壁３１ｂには、図１５，図１６に示したように、左右に延びるスリット３５、及び、スリット３５の中間上部に連設された幅広部３５ａが形成されている。
【００２１】
また、カバー１１の後壁１１ａの内面には、図２，図９，図１０に示したように、下縁部（カバーの縁部）に位置させて傾斜するカバー側係止部３６，３６が形成されている。この後壁１１ａのカバー側係止部３６，３６が形成された部分の上部には、強度を確保するために、エア吸い込み用のスリットを設けずに、補強突部３６ａ，３６ａを設けている。
【００２２】
本体ケース１０の後部の左右の支持部Ａの部分には、図１に示したように、左右にスライドして、カバー１１を本体ケース１０に対して保持したり、その保持を解除するスライド係止部材（スライド保持部材）３７，３７が保持されている。この左右のスライド係止部材３７，３７は、図１１（ａ），（ｂ）、図１２（ａ），（ｂ）、図１３（ａ），（ｂ）、図１４（ａ），（ｂ）に示したように左右対称に形成されているが、構造は同じであるので、同一符号を付して説明する。
【００２３】
スライド係止部材３７は、図１１〜図１４に示したように、ツマミ部３８と、ツマミ部３８の前端の一側部から側方に突出する板バネ部３９と、ツマミ部３８の下前端部から前側に突出する係合片（板バネ係合片）４０と、係合片４０の前端下方に突出する係合爪４１と、ツマミ部３８の上前端部から上方に突出する被係止突部（被係止部）４２を有する。そして、板バネ部３９の先端部には後方に突出するスライド突部３９ａが形成され、被係止突部４２には後方及び板バネ部３９の上方に向けて解放する被係合凹部４３が形成されている。３８ａはツマミ部３８に付された三角形状のマークで、マーク３８ａの頂点は下ケース１２の中央とは反対側（端部側）に向けられている。
【００２４】
このスライド係止部材３７のツマミ部３８は、図１７，図１８に示した如く、前部が凹部３０内に左右動可能に配設されていると共に、支持面３０ａ上に左右動可能に支持されている。また、板バネ部３９が図１８に示した如くスリット３２を介して後壁１２ｃの前側に配設されていると共に、板バネ部３９のスライド突部３９ａが後壁１２ｃの前面（内面）に自己のバネ力（弾性力）で当接している。更に、係合片４０が図２０（ｂ）に示した如く後支持壁３１ｂのスリット３５に左右動可能に且つ上下移動不能に挿通され、係合片４０の先端の係合爪４１が後支持壁３１ｂの前面（内面）に係合している。この係合片４０は、幅広部３５ａの部分から係合爪４１と共に挿通して、係合爪４１を後支持壁３１ｂの前面に係合させ、左右に移動させることにより、スリット３５内に配設されている。
【００２５】
この状態で、下ケース１２上に上ケース１３が組み付けられて、この上ケース１３の後壁１３ａが下ケース１２の後壁１２ｃ上に合わせられると共に、下ケース１２と上ケース１３が図示を省略したネジで固定されている。これにより、スライド係止部材３７の抜け外れが防止されると共に、スライド係止部材３７が左右動可能に下ケース１２に保持されている。
【００２６】
この下ケース１２と上ケース１３からなる本体ケース１０の上部は、上述したようにカバー１１で覆われている。しかも、カバー１１の後壁１１ａは上ケース１３の後壁１３ａ上に合わせられ、後壁１１ａのカバー側係止部（係止突部）３６，３６はスライド係止部材３７の被係合凹部４３に係合させられている。これにより、被係合凹部４３が設けられた被係止突部４２とカバー側係止部（係止突部）３６，３６により、カバー１１の後壁１１ａが本体ケース１０の後部に保持されている。
【００２７】
次に、この様な構成のカバー１１の本体ケース１０への着脱やスライド係止部材３７の組み付け等について説明する。
＜カバー１１の着脱＞
カバー１１を本体ケース１０に組み付けるには、先ず図１の左右のツマミ部３８，３８を互いに離反する方向に移動させて凹部３０，３０の互いに反対側の端部に位置させる。この位置で、カバー１１の前端（前縁）に設けた係止爪１１ｂを下ケース１２の係止凹部１２ｅに係合させた後、カバー１１の後壁１１ａを上ケース１３の後壁１３ａ上に合わせて、左右のツマミ部３８，３８を互いに接近する方向に移動させて凹部３０，３０の互いに接近する側の端部に位置させる。
【００２８】
この操作により、左右のツマミ部３８，３８と一体に設けられた被係止突部４２，４２がカバー１１のカバー側係止部３６，３６側に移動して、このカバー側係止部３６，３６が被係止突部４２，４２の被係合凹部４３，４３内に相対的に挿入される。この際、被係止突部４２，４２の上壁４２ａ，４２ａの先端部が傾斜するカバー側係止部３６，３６の上面に圧接係合する。
【００２９】
一方、この操作に伴い、ツマミ部３８と一体に設けた板バネ部３９のスライド突部３９ａが後壁１２ｃの前面（内面）に沿って摺接移動して、このスライド突部３９ａが係合突部３４を乗り越える。この際、スライド突部３９ａは、板バネ部３９の弾性力に抗して板バネ部３９を前側に撓めながら後壁１２ｃの前面に設けた係合突部３４を乗り越える。そして、スライド突部３９ａが係合突部３４を乗り越えると、板バネ部３９は自己の弾性力により現状に復帰して、スライド突部３９ａが後壁１２ｃの前面（内面）に当接する。
【００３０】
この様なスライド突部３９ａが係合突部３４を乗り越える際にはクリック感（節度感）が得られて、被係止突部４２，４２の上壁４２ａ，４２ａの先端部が上述のように傾斜するカバー側係止部３６，３６の上面に圧接係合させられることになる。この位置では、スライド突部３９ａと係合突部３４の作用により、吸込口体８の使用時に発生する振動等で、左右のツマミ部３８，３８がマーク３８ａの頂点方向すなわち互いに離反する方向に移動するのが規制される。
【００３１】
また、カバー１１を本体ケース１０から取り外すには、上述とは逆に、図１の左右のツマミ部３８，３８をマーク３８ａの頂点方向すなわち互いに離反する方向に移動操作する。これにより、被係止突部４２，４２がカバー側係止部３６，３６から左右に離反して、カバー１１の後壁１１ａが自由状態になるので、カバー１１の後壁１１ａを上方に持ち上げることにより、カバー１１を本体ケース１０から取り外すことができる。
＜スライド係止部材３７の組み付け＞
このスライド係止部材３７の下ケース１２への組み付けに際しては、板バネ部３９が図１８に示した如くスリット３２を介して後壁１２ｃの前側に上方から配設した後、ツマミ部３８が凹部３０に係合する方向にスライド係止部材３７を係合突部３３を中心に回動操作して、スライド係止部材３７のツマミ部３８の前部を凹部３０内に後方から挿入する。この際、係合片４０及び係合爪４１を幅広部３５ａの部分に挿通して、係合爪４１を後支持壁３１ｂの前面に突出させると共に、板バネ部３９のスライド突部３９ａが後壁１２ｃの前面（内面）にこの弾性力で当接する。
【００３２】
この状態で、スライド係止部材３７全体を下方に移動させて、ツマミ部３８を支持面３０ａに当接させると共に、係合爪４１を後支持壁３１ｂの前面に移動させ、移動力を解除することにより、係合爪４１が後支持壁３１ｂの前面に板バネ部３９の弾性力で係合させる。
【００３３】
この状態で、下ケース１２上に上ケース１３を組み付けて、この上ケース１３の後壁１３ａを下ケース１２の後壁１２ｃ上に合わせると共に、下ケース１２と上ケース１３が図示を省略したネジで固定させる。これにより、スライド係止部材３７の抜け外れが防止されると共に、スライド係止部材３７が左右動可能に下ケース１２に保持されている。
【００３４】
この後、カバー１１を本体ケース１０上に上から組み付けることで、吸込口体８の吸込口本体９を構成することができる。この様な下ケース１２，上ケース１３，スライド係止部材３７及びカバー１１の組付けは、上から順次重ねるようにすることで行えるので、組付けの自動化ができる。
＜変形例＞
以上説明した実施例では、スリット３５に幅広部３５ａを設けて、係合片４０及び係合爪４１を幅広部３５ａの部分に後方から挿通するようにしているが、必ずしもこれに限定されるものではない。
【００３５】
例えば、後支持壁３１ｂに上端に解放する切欠空間５０を設けることにより、係合片４０を切欠空間５０を介してスリット３５に対応する部分まで挿入配設できる様にしてもよい。この場合には、スライド係止部材３７を上方から単に下方に移動させるのみで、このスライド係止部材３７を下ケース１２の後壁１２ｃに組み付けることができるので、下ケース１２，上ケース１３，スライド係止部材３７及びカバー１１の組付けの自動化をより容易にできる。
【００３６】
【発明の効果】
以上説明したように、請求項１の発明は、吸込口が底壁に形成された下ケース、及び、前記下ケースに上方から組み付けられた上ケースを有する本体ケースと、前記下ケース及び前記上ケースの上部を覆うカバーとを備え、前記カバーの縁部にカバー側係止部が設けられていると共に、スライドして被係止部を前記カバー側係止部に対して係合・離脱させるスライド係止部材が前記本体ケースに設けられ、前記被係止部を前記カバー側係止部に対して係合させることにより、前記カバーを前記本体ケースに保持させる吸込口体であって、前記下ケースには、後方及び上方に開く凹部を有する支持部を設け、前記凹部の下部には支持面が形成され、前側には支持壁が形成され、前記スライド係止部材は、前記凹部に上方から挿入されると共に、前記下ケースに組み付けられた前記上ケースによって上方への抜け外れが規制された状態で、前記支持面上に支持され、且つ、前記支持壁に沿ってスライド可能である様に構成したので、スライド係止部材の本体ケースへの組付けを簡易に行うことができると共に、スライド係止部材の組付けの自動化が可能となる。
【００３７】
また、請求項２の発明は、請求項１に記載の吸込口体を備える電気掃除機としたので、スライド係止部材の組付けの自動化を図ることで、組付けのための人件費を節約して、安価に製造した吸込口体を用いることができる。
【図面の簡単な説明】
【図１】この発明に係る吸込口体の吸込口本体の背面図である。
【図２】図１に示した吸込口本体の分解説明図である。
【図３】図１，図２に示した吸込口本体を備える電気掃除機の説明図である。
【図４】（ａ）は図３に示した吸込口体の平面図、（ｂ）は（ａ）のＢ−Ｂ線に沿う断面図である。
【図５】図４（ａ）の接続管を省略した吸込口体の底面図である。
【図６】図４（ａ）のＣ−Ｃに線に沿う断面図である。
【図７】図４（ａ）のＤ−Ｄ線に沿う断面図である。
【図８】図７の作用説明図である。
【図９】（ａ）は図１に示したカバーの後壁の一側の部分内面斜視図、（ｂ）は図１に示したカバーの後壁の他側の部分内面斜視図である。
【図１０】スライド係止部材の被係止突部とカバーの係止突部との関係を示す拡大説明図である。
【図１１】（ａ）は左側のスライド係止部材の側面図、（ｂ）は右側のスライド係止部材の側面図である。
【図１２】（ａ）は図１１（ａ）の左側面図、（ｂ）は図１１（ｂ）の右側面図である。
【図１３】（ａ）は図１１（ａ）の右側面図、（ｂ）は図１１（ｂ）の左側面図である。
【図１４】（ａ）は図１３（ａ）の平面図、（ｂ）は図１３（ｂ）の平面図である。
【図１５】図１に示した下ケースの後壁の要部拡大斜視図である。
【図１６】図１５の部分説明図である。
【図１７】図１５の下ケースにスライド係止部材を組み付けた状態の斜視図である。
【図１８】図１５の平面図である。
【図１９】図１７の下ケース及びスライド係止部材上に上ケースを組み付けて、別の角度から見た状態の斜視図である。
【図２０】（ａ）は図１９の要部平面図、（ｂ）は（ａ）のＥ−Ｅ線に沿う断面図である。
【図２１】スライド係止部材を取り付ける部分の他の例を示す要部斜視図である。
【図２２】図２１の部分説明図である。
【図２３】（ａ）は従来の吸込口体を後方から見た斜視図、（ｂ）は（ａ）のカバーの取付状態を示す断面図である。
【図２４】図２３のカバーを取り外して要部を拡大した説明図である。
【図２５】図２４の平面図である。
【図２６】図２５のＦ−Ｆ線に沿う断面図である。
【図２７】図２３〜図２６のスライド係止部材とその取付部の説明図である。
【符号の説明】
１０・・・本体ケース
１１・・・カバー
１２・・・下ケース
１２ａ・・・底壁
１２ｂ・・・吸込口１２ｂ
１２ｃ・・・後壁
１３・・・上ケース
３６・・・カバー側係止部
３７・・・スライド係止部
４２・・・被係止突部（被係止部）
Ａ・・・支持部
【図１】
0003788693.tif 000002
【図２】
0003788693.tif 000003
【図３】
0003788693.tif 000004
【図４】
0003788693.tif 000005
【図５】
0003788693.tif 000006
【図６】
0003788693.tif 000007
【図７】
0003788693.tif 000008
【図８】
0003788693.tif 000009
【図９】
0003788693.tif 000010
【図１０】
0003788693.tif 000011
【図１１】
0003788693.tif 000012
【図１２】
0003788693.tif 000013
【図１３】
0003788693.tif 000014
【図１４】
0003788693.tif 000015
【図１５】
0003788693.tif 000016
【図１６】
0003788693.tif 000017
【図１７】
0003788693.tif 000018
【図１８】
0003788693.tif 000019
【図１９】
0003788693.tif 000020
【図２０】
0003788693.tif 000021
【図２１】
0003788693.tif 000022
【図２２】
0003788693.tif 000023
【図２３】
0003788693.tif 000024
【図２４】
0003788693.tif 000025
【図２５】
0003788693.tif 000026
【図２６】
0003788693.tif 000027
【図２７】
0003788693.tif 000028